(57)【要約】【課題】本考案は、設営および撤収が手早く行えるテント収納セットを提供するものである。【解決手段】本考案は、テントとテント収納バッグを含み、前記テントは少なくとも4本以上のポールを備え、このうち少なくとも2本以上のポールの底部にはキャスターを備え、また前記収納バッグには、固定バンド１ヶ所および開口部１ヶ所を含み、前記テントの撤収後は、この収納バッグを上方からテントに覆い被せることができ、その後、前記固定バンドでテントを固定して収納し、最後に前記ポールに取り付けてあるキャスターで移動できるテント収納セットを提供するものである。      【選択図】図４
0003136612.tif 000002
【実用新案登録請求の範囲】
【請求項１】
テント１点には少なくとも４本以上のポールを備え、このうち少なくとも２本以上のポールの底部にキャスターを取り付けてあり、前記収納バッグは、さらに固定バンド１箇所および開口部１箇所を含み、前記収納バッグは上方からテントに覆い被せることができ、前記テントの撤収後、前記収納バッグをテントに覆い被せて、前記固定バンドでテントを固定して収納し、最後に前記ポールに取り付けてあるキャスターでテント収納セットの移動ができることを特徴とする、設営および撤収が手早く行えるテント収納セット。
【請求項２】
このうち、前記開口部が収納バッグの下方に位置することを特徴とする、請求項１に記載のテント収納セット。
【請求項３】
このうち、固定バンドは細長い形状をしており、一端が収納バッグの一側面に固定されており、もう一端が前記２つのキャスターを跨いで収納バッグのもう一側面まで延び、このもう一側面に貼り付けられることを特徴とする、請求項１に記載のテント収納セット。
【請求項４】
このうち、前記収納バッグには少なくとも１つ以上の持ち手を備えていることを特徴とする、請求項１に記載のテント収納セット。
【請求項５】
このうち、収納バッグは長方形の袋状１点であることを特徴とする、請求項１に記載のテント収納セット。
【請求項６】
このうち収納バッグは、円柱形の袋状１点であることを特徴とする、請求項１に記載のテント収納セット。
【請求項７】
このうち固定バンドは、面ファスナー
１ヶ所で前記収納バッグの一側面ともう一側面を貼り合せられるようになっていることを特徴とする、請求項３に記載のテント収納セット。
【考案の詳細な説明】
【技術分野】
【０００１】
本考案は、テントセットに係り、特に、設営および撤収が手早く行えるテント収納セットに関するものである。
【背景技術】
【０００２】
ここ数年来、社会形態が変化を続ける中で、人々は繁忙な仕事の傍ら、家庭生活の質の向上にも積極的に関心を持ち、レジャーや旅行に非常に重きを置くようになった。多忙な仕事に追われストレスを受けている心身を和らげ、また家庭内でのコミュニケーションを高めるためにも、さまざまな形態のアウトドア・レジャーに人気が高まっている。休日になると、家族そろってピクニックに出かけるほか、さまざまな屋外型のイベントへの参加も多くなり、日除けおよび雨除けができる場所で活動が行えるよう、各種キャンプ用テントに対し、その使用や携帯に利便性を求めるニーズが高まり、これに応じて数々の改良がなされてきた。
【０００３】
中華民国実用新案、登録第Ｍ２５３６５０号、実用新案の名称「収縮帳篷結構（訳注：折り畳み式テントの構造）」は、テントの四方のフレームおよびセンターポールは、それぞれ固定ベースと昇降式ベースを備え、それぞれピンジョイントで、前後・左右に展開や折り畳みができるクロスポールを複数組備えており、複数組のクロスポールにより天幕を四方に向けて展開、あるいは中央に向けて折り畳むことができるテントである、と記載されている。その特徴として、前記ポールは中空管より構成され、前記中空管は弾性構造を備えており、前記弾性構造は位置決め台座、スプリング、調整台座より構成され、前記位置決め台座および調節台座は、それぞれ２つの中空管の底部に取り付けられており、また、位置決め台座および調節台座の間にはスプリングが取り付けられており、前記弾性構造は調節構造により、そのスプリングの弾力性を調整することができ、前記調整構造は、調整ツマミ、ボルト、ナットにより構成され、前記調節ツマミとボルトは、強固に一体化されており、前記ボルトは垂直に固定ベースと調整台座に取り付けられており、かつ、ボルトが対応する調整台座の底部にはナットが取り付けられており、前記調節ツマミでボルトを回すと、ナットが移動し調整台座で部品の締め付けや緩めが行える、という点が挙げられている。
【０００４】
前述したテント構造は、設営や収納に利便性があるものの、使用時の安定性や風の影響を受けにくいことを考慮に入れた点に特徴があり、前記ポールを地面に強力に固定し、かつ風圧抵抗分の重量を持たせたため、持ち運びに不便であるという欠点が生じた。このため、より一層の改良に重点を置く必要があった。
【特許文献１】中華民国実用新案、登録第Ｍ２５３６５０号
【考案の開示】
【考案が解決しようとする課題】
【０００５】
本考案の主な目的は、設営および撤収が手早く行え、収納や持ち運びに便利であることを特徴とする、テント収納セットを提供することにある。
【課題を解決するための手段】
【０００６】
上記目的を達成するために成された本願の考案は、テント１点および収納バッグ１点を含み、前記テントには少なくとも４本以上のポールを備え、このうち少なくとも２本以上のポールの底部にキャスターを取り付けてあり、前記収納バッグは、さらに固定バンド１箇所および開口部１箇所を含み、前記収納バッグは上方からテントに覆い被せることができ、前記テントの撤収後、前記収納バッグをテントに覆い被せて、前記固定バンドでテントを固定して収納し、最後に前記ポールに取り付けてあるキャスターでテント収納セットを移動することができることを特徴とする、設営および撤収が手早く行えるテント収納セットである。
【０００７】
本願の考案では、このうち、前記開口部は収納バッグの下方に位置していることを特徴とする、設営および撤収が手早く行えるテント収納セットであることを要旨としている。
【０００８】
本願の考案では、また、固定バンドは細長い形状をしており、一端が収納バッグの一側面に固定されており、もう一端が前記２つのキャスターを跨いで収納バッグのもう一側面まで延び、このもう一側面に貼り付けられるようになっていることを特徴とする、設営および撤収が手早く行えるテント収納セットであることを要旨としている。
【０００９】
本願の考案では、このうち、前記収納バッグは少なくとも１つ以上の持ち手を備えていることを特徴とする、設営および撤収が手早く行えるテント収納セットであることを要旨としている。
【００１０】
本願の考案では、このうち、収納バッグは長方形の袋状１点、あるいは円柱形の袋状１点であることを特徴とする、設営および撤収が手早く行えるテント収納セットであることを要旨としている。
【００１１】
本願の考案では、このうち、固定バンドは面ファスナー１ヶ所で、前記収納バッグの一側面ともう一側面を貼り合せられるようになっていることを特徴とする、設営および撤収が手早く行えるテント収納セットであることを要旨としている。
（考案の効果）
【考案を実施するための最良の形態】
【００１２】
以下、添付図面を参照にして、本考案の好適な実施の形態を詳細に説明し、本考案の目的および特徴、効果について理解に供したい。
【実施例】
【００１３】
第１図は、既存のテントの立体図である。既存のテント３は、フレームに天幕３２を覆い被せることで、日除けおよび雨除けの機能を持たせている。前記フレームは４本のポール３１を備えており、前記テント３の衝突や風圧による傾きや倒壊を避けるため、前記フレームに重量を持たせる素材を使用してフレームを強化しているほか、前記ポール３１の底部は固定ベース３３を備え、固定部品１点（図面なし）により地面に固定させることで、テント３を安定させる効果を持たせている。
【００１４】
第２図は、本考案の設営および撤収が手早く行えるテント収納セットのうちの、テントの立体図である。本考案のテント収納セット１のテント１０は、設営および撤収が手早く行えるテントであり、テントの重量が持ち運び時や移動時の負担にならないよう、前記テント１０はポール１１、天幕１２、および固定ベース１３などの部品のほか、隣り合う２本のポール１１の底部に前記固定ベース１３の代わりにキャスター１４を取り付けており、前記テント１０を撤収、または設営するいずれの場合でも、前記キャスター１４がテント１０の位置移動時に補助的作用を持つようになっている。
【００１５】
第３図および第４図は、本考案の設営および撤収が手早く行えるテント収納セットの収納方法についての見取り図および立体図である。前記テント収納セット１は、テント１０を１点、および収納バッグ２０を１点含み、前記テント１０の収納時には、前記天幕１２を直接縛ることができ、本実施例においては、前記収納バッグ２０は長方形の袋状１点（前記収納バッグは長方形のみに限定されるものではなく、円柱形の袋状１点であってもよい）としており、さらに、開口部２１を１ヶ所および固定バンド２２を１ヶ所含み、前記開口部２１は前記収納バッグ２０の下方に位置し、前記固定バンド２２は細長い形状をしており、一端が収納バッグ２０の一側面に固定され、もう一端が収納バッグ２０のもう一側面まで延びており、前記テント１０の撤収後、前記収納バッグ２０は、テント１０の上方からテント１０に覆い被せることができ、前記固定バンド２２はテント１０の２つのキャスター１４および固定ベース１３の間を跨いでおり、面ファスナー１ヶ所２４で前記収納バッグの一側面ともう一側面を貼り合せられ、前記収納バッグ２０がテントから脱落しないようになっており、また、前記キャスター１４は前記収納バッグ２０から外部へ覗くようになっており、さらに前記固定ベース１３もテント１０が直立時に倒れないよう自立させる補助的作用を持ち、前記収納バッグ２０の上方および側面それぞれに持ち手２３を備え、キャスターを回転させながらテント収納セット１の移動や持ち運びが便利に行えるようになっている。
【００１６】
第５図は、設営および撤収が手早く行えるテント収納セットの使用状態の見取り図である。前記テント収納セット１の使用後、および収納完了後、テント収納セット１を一定の角度に傾けると、前記持ち手２３を使用でき、テント収納セット１を牽引しながら移動する場合には、前記キャスター１４を回転させることで移動ができ、前記固定バンド２２で内部の収納物が脱落しないように下方から固定することができる。また、持ち運び時にも前記収納バッグ２０からの脱落を防止することもできるため、テント収納セット１の使用時の利便性を大幅に向上することができる。
【００１７】
上述した好適な実施方法の具体例は、本考案の特徴および精神をより明確にするためのものであり、かつ、本考案の範疇に対して何ら制限をするものではない。反対に、実施例を挙げた目的は、本考案が申請する請求の範囲の範疇における、さまざまな改変および同等な手段を含めることを希望するものである。
【図面の簡単な説明】
【００１８】
【図１】既存のテントの立体図である。
【図２】本考案の設営および撤収が手早く行えるテント収納セットのうち、テントの立体図である。
【図３】本考案の設営および撤収が手早く行えるテント収納セットの収納方法を示す見取り図である。
【図４】本考案の設営および撤収が手早く行えるテント収納セットの立体図である。
【図５】本考案の設営および撤収が手早く行えるテント収納セットの使用状態を示す見取り図である。
【符号の説明】
【００１９】
１  テント収納セット
１０  テント
１１  ポール
１２  天幕
１３  固定ベース
１４  キャスター
２０  収納バッグ
２１  開口部
２２  固定バンド
２３  持ち手
２４  面ファスナー
【図１】
0003136612.tif 000003
【図２】
0003136612.tif 000004
【図３】
0003136612.tif 000005
【図４】
0003136612.tif 000006
【図５】
0003136612.tif 000007